(57)【要約】【課題】大型の盤面に設けられている可変表示装置に対して、広範囲わたりスピード感ある動きを出す事ができる弾球遊技機を提供する。【解決手段】可変表示装置２１の周辺に長手方向に螺旋状の凹状溝を備えたワイヤーロープ１６と歯車との組み合わせを用いて、可変表示装置２１の内に、第1支柱部材２２がそれぞれ固定されており、第1支柱部材２２はスライドベース１９に嵌めこまれていて、さらにスライドベース１９の上部孔部にワイヤーロープを固定している。第２支柱部材２３が第1歯車１７を通して係止具２６によって固定されている。第1歯車１７にワイヤーロープ１６が固定されており、第２支柱部材２３には第２歯車２４が組み付けられている。モータ２５が駆動することにより、モータ２５に備わった第２歯車２４が動き、第２支柱部材２３に備わる第２歯車２４に伝達され、第1歯車１７、第1支柱部材２２が共に回転を始め、囲み部品２０を動かすようにした。【選択図】図３
2007111103.tif 000002
【特許請求の範囲】
【請求項１】
遊技領域に可変表示装置を設けてなる弾球遊技機において、前記可変表示装置の周辺に長手方向に螺旋状の凹状溝を備えたワイヤーロープと歯車との組み合わせを用いて装飾部品を動かすことを特徴とする弾球遊技機。
【請求項２】
前記ワイヤーロープはその外周に線状体を巻きつけたことを特徴とする請求項１の弾球遊技機。
【請求項３】
前記装飾部品は前記可変表示装置の表示内容と関連して動くことを特徴とする請求項１の弾球遊技機。
【請求項４】
前記装飾部品は中央が貫通した部品であることを特徴とする請求項１の弾球遊技機。
【発明の詳細な説明】
【技術分野】
【０００１】
本発明は弾球遊技機に関し、装飾部品を可変表示装置の周辺の広い範囲に渡りスピーディーに動かすことにより、遊技者にとって新規な興趣を提供することが目的である。
【背景技術】
【０００２】
最近の弾球遊技機には、可変表示装置の周辺にキャラクターなどの可動物を用いて、視覚的な演出効果向上させ、遊技の興趣を高めるものが増えている。例えば、特開２００３−２３６０８６号公報には、動力駆動源のであるモータの力を可動物への伝達機械要素としての歯車の組みあわせにより伝達する技術が開示されている。伝達機械要素としては、いずれも広範囲をスピーディーに動かすことが難しい。
【特許文献１】特開２００３−２３６０８６
【発明の開示】
【発明が解決しようとする課題】
【０００３】
ところで、近年遊技興趣の向上のために可変表示装置の表示形態が複雑になり可変表示自体が大型化しつつあり、遊技盤面の遊技領域における可変表示装置の占める割合が、かなり大きくなっている。
【０００４】
このように、遊技領域での可変表示装置の占める割合が多くなると、それに伴い可変表示装置に配設される可動物には用途に合わせ、より迅速な動きが要求されるようになってくる。又、大型可変表示機の周辺のどこへでも広範囲にわたって、複雑に動くことも要求される。
【課題を解決するための手段】
【０００５】
上記課題を解決するために、本発明は遊技領域に可変表示装置を設けてなる弾球遊技機において、前記可変表示装置の周辺に長手方向に螺旋状の凹状溝を備えたワイヤーロープと歯車の組み合わせとを用いて装飾部品を動かすことを特徴とする。前記可変表示装置の表示形式としては、液晶、セグメント、ドットマトリックスなどが使われ前記有利な状態については、例えば大当たりやリーチのような特定の演出に基づきそれを視認できるようなものを言う。周辺とは可変表示装置の前面及び周囲近傍を指す。装飾部品とは、ワイヤーロープに固定具より直接固定しても、支柱部材のような支持部品を介してもよい。装飾部品とは例えば演出効果を高めるためのキャラクター等のことである。
【０００６】
前記ワイヤーロープは、その外周に線状体を巻きつけたことを特徴とする。ワイヤーロープは、金属線材を樹脂で被覆したものが最適である。
【０００７】
前記装飾は前記可変表示装置の表示内容と関連することを特徴とする。関連して動くとは、例えば大当たりやリーチとなったとき、特別な動きをすることを言う。
【０００８】
前記装飾部品は中央が貫通した囲いであることを特徴とする。囲い部品とは、例えばリング状や四角形の形状品である。
【発明の効果】
【０００９】
請求項１の発明によれば、伝達機械要素としてワイヤーロープと歯車との組み合わせを用いることにより、装飾部品を可変表示装置の周辺の広範囲にわたりスピーディーに動かすことにより、可変表示装置の大型化に対応できる。
【００１０】
請求項２の発明によれば、長手方向に螺旋状の凹状溝を備えたワイヤーロープを手軽で安価に製造できる。
【００１１】
請求項３の発明によれば、演出動作に対して広範囲にて興趣ある動きを表現することが出来る。
【００１２】
請求項４の発明によれば、例えば囲み部品の貫通孔部以外の可変表示装置を見せなくすることにより、覗き見如き感覚を与える。
【発明を実施するための最良の形態】
【００１３】
以下に本発明の実施の形態を図面と共に説明する。
図１は弾球遊技機１の正面図である。図1において弾球遊技機1は弾球遊技機1における木製の外枠２であって縦長方形枠状に成形されている。その前面に一側上下部を前記外枠の一側上下部に設けた軸支部３に軸支して前枠が回動自在に装着される。また、前記前枠の裏側に遊技盤４が配置固定される。そして、前記前枠の前面に、遊技盤４前面に遊技部を覆う２枚の透明板であるガラス板５を備えた透明保持部材６が回動可能に装着される。また、透明保持部材６の下方には前板7が回動自在に装着される。前記前板７の前面に遊技球としてのパチンコ球を図示しない発射部に供給するための上皿８が装着されている。また、前枠の下部前面には、前記上皿８からあふれるパチンコ球を貯留するための下皿９が装着され、その一側に灰皿１０が装着される。そして、下皿９に他側に打球発射部から発射されるパチンコ球の打球力を調整するための操作ハンドル１１が取り付られている。
【００１４】
可変表示装置１８は、パチンコ機１の制御装置（図示せず）と接続されている。そして、制御装置からの信号にしたがって、液晶画面の全体に亘り、種々の態様で、図柄や動画、あるいはメッセージ等を表示できるようになっている。さらに、可変表示装置１８は、左側、中央、右側の３箇所に、一桁の数字や一文字のアルファベット、その他の図柄等を、別々に、種々の態様で表示できる上、表示された図柄等を適宜変動させることができるようになっている。また、普通図柄表示装置２４も、一桁の数字や一文字のアルファベット、その他の図柄等を表示できる上、表示された図柄等を適宜変動させることができるようになっている。
【００１５】
次に図２について遊技盤４における配置図について説明する。
弾球遊技機１の遊技盤４には始動口１２及び大入賞口１３が設けられており、遊技盤４は遊技領域を構成している。始動口４はパチンコ球が流入する通路が設けられておりその入口に対しては、一対の羽根部材１４が開閉可能に支持されている。大入賞口１３の前にはシャッターが設けられている。このシャッターはソレノイド（図示せず）９の作動させられて大入賞口１３を開閉するように構成している。
【００１６】
また、可変表示装置前面に中央役物４０が図示してあるが、通常遊技状態において中央役物は飾り部によって隠れている。
【００１７】
図３は装飾部品を含む中央役物４０を表した正面図である。可変表示装置２１の前面に透過部材で形成された液晶ボックス１５を備え、その中に４つの第1支柱部材２２がそれぞれ係止具２６によって固定されており、第1支柱部材２２はそれぞれスライドベース１９に嵌めこまれていて、さらにはスライドベース１９の上部孔部にワイヤーロープをビス（図示せず）で固定している。
【００１８】
スライドベース１９には上下左右が繋がるように、アルミパイプ１８が係具されており、さらにはそれぞれ２本のアルミパイプ１８の係止孔部に対して縦方向、横方向に囲み部品２０が組みつけてある。
【００１９】
第1支柱部材２２上部に第２支柱部材２３が第1歯車１７を通して係止具２６によって固定されている。第1歯車１７の孔部にワイヤーロープ１６が固定されており、第２支柱部材２３には第２歯車２４が組み付けられている。伝達機構の駆動源であるモータ２５にも第２歯車２４が備わり、モータ２５が駆動することにより、モータ２５に備わった第２歯車２４が動き、第２支柱部材２３に備わる第２歯車２４に伝達され、第1歯車、第1支柱部材共に回転を始める。
【００２０】
図４では図２中央に図示してある中央役物４０の囲み部品２０の移動図をあらわした構成図である。図３の通常状態で遊技者にとって、例えば大当たりやリーチが発生した場合、可変表示装置を見えない状態にし、囲み部品２０の貫通孔部のみ特定演出が見えるような形態をとり、それに伴い液晶ボックス１５内でモータ２５が駆動し、それを伝達機構である第１歯車１７に伝えることによりスライドベース１９とアルミパイプ１８が連動し、それに組みつけられている囲み部品２０を遊技者が視認できる位置内で広範囲にわたり興趣ある動きをする。
スライドベースに突出部を形成し、フォトセンサ２４にも対応する突出部を形成し
【００２１】
上記した特定条件が終わると、突出部を設けたスライドベース１９と対応する凹部をフォトセンサ２７にも設けてあり、フォトセンサ２７の凹部とスライドベース１９の突出部が互いに離れていることを検知し、互いが嵌まり込む位置まで移動を開始する。
【００２２】
図５は装飾部品を含む中央役物４０の斜視図である。係止具２６によりワイヤーロープ１６が第1歯車１７第２支柱部材２３に係止されている。係止具２６はそれぞれビス２８により固定されている。
【００２３】
スライドベース１９を感知する手段としてフォトセンサ２７が設けられており、フォトセンサ２７を固定する固定板がビス２８で固定してある。
【００２４】
図６はワイヤーロープ１６の拡大全体図である。樹脂被覆３３を形成してあるロープ本体３２に芯線の通った線状体３１が螺旋状形成され、樹脂被覆３３に長手方向に連続するスパイラル凹状溝を形成すると共に、凹状溝と螺旋状の撚れ方向が相互に逆方向のなってクロスしている。
【００２５】
凹状溝は、ワイヤーロープ１６に樹脂被覆３３を被覆形成するとき、樹脂被覆３３の樹脂材が同時に充填されて一体となっており、この充填樹脂がスパイラル凹状溝をなして連続し、かつ、凹状溝に喰い込まれている。
【００２６】
前記構成から、ワイヤーロープ１６は長手方向に連続するスパイラル状溝内に樹脂被覆３３の樹脂材が同時に充填されて一体となっており、この充填樹脂がスパイラル凹状溝をなして連続し、かつ、凹状溝に喰い込まれているため、樹脂被覆３３はは外周の螺旋状から受けるロープ駆動荷重によってワイヤーロープ１６に対して容易に「相対ずれ」を生じるおそれはなく、機械的接合力は格段に向上する。
【図面の簡単な説明】
【００２７】
【図１】本発明が適用される弾球遊技機の正面図。
【図２】弾球遊技機の遊技盤を示す正面図。
【図３】中央役物の正面図。
【図４】中央役物における装飾部が移動された状態を示す正面図。
【図５】ワイヤーロープを中央役物に組み付ける斜視図。
【図６】ワイヤーロープの正面図。
【符号の説明】
【００２８】
１      弾球遊技機
４      遊技盤
１５    液晶ボックス
１６    ワイヤーロープ
１７    第１歯車  （歯車）
２０    囲み部品          （装飾部品）
２１    可変表示装置
２４    第２歯車  （歯車）
３１    線状体
４１    中央役物
【図１】
2007111103.tif 000003
【図２】
2007111103.tif 000004
【図３】
2007111103.tif 000005
【図４】
2007111103.tif 000006
【図５】
2007111103.tif 000007
【図６】
2007111103.tif 000008
【手続補正書】
【提出日】平成17年11月24日(2005.11.24)
【手続補正１】
【補正対象書類名】明細書
【補正対象項目名】００２０
【補正方法】変更
【補正の内容】
【００２０】
図４では図２中央に図示してある中央役物４０の囲み部品２０の移動図をあらわした構成図である。図３の通常状態で遊技者にとって、例えば大当たりやリーチが発生した場合、可変表示装置を見えない状態にし、囲み部品２０の貫通孔部のみ特定演出が見えるような形態をとり、それに伴い液晶ボックス１５内でモータ２５が駆動し、それを伝達機構である第１歯車１７に伝えることによりスライドベース１９とアルミパイプ１８が連動し、それに組みつけられている囲み部品２０を遊技者が視認できる位置内で広範囲に渡り興趣ある動きをする。